(57)【要約】【課題】被写体にインタラクションと興味を持たせつつ、被写体に眩しさを与えることがないカメラを提供すること。【解決手段】ストロボ装置５を備えたカメラ１において、前記ストロボ装置１のストロボ光よりも輝度が低く設定された補助光を被写体に向けて照射する補助光発光手段７を設ける。又、前記補助光発光手段７による補助光の出力レベルを時間の経過と共に段階的に上げ、その出力レベルを所定時間保持する。そして、補助光の発光をストロボ光が発光する前から発光し終わるまで行う。更に、補助光発光手段７を前記ストロボ装置５の設置箇所以外の箇所（例えば、筐体２の撮影レンズ４部分の周囲）に配置する。【選択図】図１
2010169846.tif 000002
【特許請求の範囲】
【請求項１】
ストロボ装置を備えたカメラにおいて、
前記ストロボ装置のストロボ光よりも輝度が低く設定された補助光を被写体に向けて照射する補助光発光手段を設けたことを特徴とするカメラ。
【請求項２】
前記補助光発光手段による補助光の出力レベルを時間の経過と共に段階的に上げることを特徴とする請求項１記載のカメラ。
【請求項３】
前記補助光の各出力レベルを所定時間保持することを特徴とする請求項２記載のカメラ。
【請求項４】
前記補助光の発光をストロボ光が発光する前から発光し終わるまで行うことを特徴とする請求項１〜３の何れかに記載のカメラ。
【請求項５】
前記補助光発光手段を前記ストロボ装置の設置箇所以外の箇所に配置したことを特徴とする請求項１〜４の何れかに記載のカメラ。
【請求項６】
前記補助光発光手段を筐体のレンズ部分の周囲を囲むように配置したことを特徴とする請求項５記載のカメラ。
【請求項７】
前記補助光を指向性を有さない拡散光としたことを特徴とする請求項１〜６の何れかに記載のカメラ。
【請求項８】
前記補助光発光手段の光源から出射する光を拡散させるフィルタを設けたことを特徴とする請求項７記載のカメラ。
【発明の詳細な説明】
【技術分野】
【０００１】
本発明は、ストロボ装置を備えたカメラに関するものである。
【背景技術】
【０００２】
デジタルカメラ等のカメラの多くにはストロボ装置が内蔵されているが、このストロボ装置は、夜間や雨天時等のように周囲が暗い環境下においても所定の撮影有効範囲内での撮影を可能とするためにストロボ光を被写体に向けて照射するものであって、自動発光モードに設定しておくと、周りの状況を判断して明るさが不足する場合にはストロボ光を自動的に発光する。
【０００３】
ところで、特許文献１には、ストロボ装置を備えたカメラにおいて、被写体である人の興味を引き付けて被写体の豊かな表情を撮影することができるようにするために、シャッタースイッチが押下されてから撮影動作が行われるまでの時間、ストロボ装置の発光部を収容位置から突出位置までの間で移動させることによって、カメラの外観上の形態を変化させる提案がなされている。
【先行技術文献】
【特許文献】
【０００４】
【特許文献１】特開２００４−１５７２８７号公報
【発明の概要】
【発明が解決しようとする課題】
【０００５】
図９にストロボ装置から出射されるストロボ光の発光波形を示すが、同図に示すように、ストロボ光は短い発光時間に０％〜１００％に発光強度が変化するため、被写体である人には眩しく感じる。尚、一般的にストロボ光の発光時間ｔは、発光強度が１フラッシュの光量の半値幅（発光波形の５０％−５０％間の値）を示す間の時間と規定される。
【０００６】
又、特許文献１において提案されたカメラでは、明るい場所では外観の形態変化を認識することができるが、ストロボ光の発光を必要とするような暗い場所では形態の変化を視認することができず、被写体の興味を引き付けることができないという問題がある。しかも、形態を変化させる箇所としてストロボ装置の発光部を選択し、この発光部を出没させて外観上の形態を変化させているが、被写体の視覚的注意はストロボ装置に向かい、そのストロボ装置でストロボ光が発光すれば、眩しさを一層感じ易くなってしまうという問題もある。
【０００７】
本発明は上記問題に鑑みてなされたもので、その目的とする処は、被写体にインタラクションと興味を持たせつつ、被写体に眩しさを与えることがないカメラを提供することにある。
【課題を解決するための手段】
【０００８】
上記目的を達成するため、請求項１記載の発明は、ストロボ装置を備えたカメラにおいて、前記ストロボ装置のストロボ光よりも輝度が低く設定された補助光を被写体に向けて照射する補助光発光手段を設けたことを特徴とする。
【０００９】
請求項２記載の発明は、請求項１記載の発明において、前記補助光発光手段による補助光の出力レベルを時間の経過と共に段階的に上げることを特徴とする。
【００１０】
請求項３記載の発明は、請求項２記載の発明において、前記補助光の各出力レベルを所定時間保持することを特徴とする。
【００１１】
請求項４記載の発明は、請求項１〜３の何れかに記載の発明において、前記補助光の発光をストロボ光が発光する前から発光し終わるまで行うことを特徴とする。
【００１２】
請求項５記載の発明は、請求項１〜４の何れかに記載の発明において、前記補助光発光手段を前記ストロボ装置の設置箇所以外の箇所に配置したことを特徴とする。
【００１３】
請求項６記載の発明は、請求項５記載の発明において、前記補助光発光手段を筐体のレンズ部分の周囲を囲むように配置したことを特徴とする。
【００１４】
請求項７記載の発明は、請求項１〜６の何れかに記載の発明において、前記補助光を指向性を有さない拡散光としたことを特徴とする。
【００１５】
請求項８記載の発明は、請求項７記載の発明において、前記補助光発光手段の光源から出射する光を拡散させるフィルタを設けたことを特徴とする。
【発明の効果】
【００１６】
請求項１記載の発明によれば、ストロボ装置から輝度の高いストロボ光が発光する前に、ストロボ光よりも輝度が低く設定された補助光を被写体に向けて照射することによって、背景輝度とのコントラスト差が小さく抑えられ、被写体である人が補助光による明るい環境に順応するため、その後に輝度の高いストロボ光が発光しても、人が感じる眩しさが低減される。又、ストロボ光が発光する前に補助光が発光することによって被写体である人はその補助光に視覚的な注意を向けるため、人は「写真を撮るよ！」というインタラクションと興味を持つことができる。
【００１７】
請求項２記載の発明によれば、補助光の出力レベルを時間の経過と共に段階的に上げることによって、被写体である人に「写真を撮るよ！」というインタラクションを確実に与えることができる。
【００１８】
請求項３記載の発明によれば、補助光の各出力レベルを所定時間保持することによって、シャッターが切られるタイミングを被写体に知らせることができる。因に、補助光の出力レベルが瞬時に変化したり、補助光が点滅するだけでは、被写体である人は何時シャッターが切られるのかを判断しづらく、又、「写真を撮るよ！」というインタラクションを得にくい。
【００１９】
請求項４記載の発明によれば、ストロボ光が発光しているときに補助光も同時に発光させるようにしたため、被写体である人の視線が補助光以外の場所、例えばストロボ光の方向へと移行することがなく、ストロボ光を眩しく感じる度合いが低く抑えられる。因に、ストロボ光が発光する前に補助光が消灯してしまうと、被写体である人の視線が補助光以外のストロボ光の方へと移行してしまい、ストロボ光を眩しいと感じてしまう。
【００２０】
請求項５及び６記載の発明によれば、補助光発光手段をストロボ装置の設置箇所以外の場所（例えば、筐体のレンズ部分の周囲）に配置したため、補助光を視認していた被写体である人の視線がストロボ光に向かうまでの時間（反応時間）が長くなり、その分だけストロボ光を直接視認する時間が短縮されるために眩しさを感じる度合いが低く抑えられる。
【００２１】
請求項７及び８記載の発明によれば、補助光を指向性を有さない拡散光としたため、この拡散光によってストロボ光発光前の背景輝度とのコントラスト差が一層効果的に小さく抑えられ、被写体である人が補助光による明るい環境に順応し、その後のストロボ光に対して感じる眩しさの度合いが低く抑えられる。
【図面の簡単な説明】
【００２２】
【図１】本発明に係るカメラの正面図である。
【図２】本発明に係るカメラの撮影動作手順を示すフローチャートである。
【図３】補助光の発光時間に対する輝度レベルの変化を示す図である。
【図４】被写体の視覚的注意を説明する概念図である。
【図５】（Ａ）〜（Ｄ）はストロボ光の眩しさの実験対象と補助光提示条件を示す図である。
【図６】ストロボ光の眩しさ実験の結果を示す図である。
【図７】本発明に係るカメラの他の形態を示す正面図である。
【図８】本発明に係るカメラの他の形態を示す正面図である。
【図９】ストロボ光の発光波形を示す図である。
【発明を実施するための形態】
【００２３】
以下に本発明の実施の形態を添付図面に基づいて説明する。
【００２４】
図１は本発明に係るカメラの正面図であり、図示のカメラ１はデジタルカメラであって、その筐体２の前面には鏡胴３が配設され、この鏡胴３には撮影レンズ４が設けられている。又、カメラ１の筐体２の前面の横上方にはストロボ装置５が配設され、筐体２の上面には、撮影操作を行うためのシャッタースイッチ６が配設されている。
【００２５】
ところで、本実施の形態では、前記鏡胴３（撮影レンズ４）の周囲に４つのカギ括弧状の補助光発光手段７が配設されている。この補助光発光手段７は、ストロボ装置５のストロボ光よりも輝度が低く設定された補助光を被写体に向けて照射するためのものであって、補助光としては指向性を有さない拡散光が使用される。尚、図示しないが、補助光発光手段７には、ＬＥＤ等の光源から出射する光を拡散させるフィルタが設けられ、後述のように補助光発光手段７からは指向性を有さない拡散光が補助光として被写体に向けて照射される。
【００２６】
次に、以上のように構成されたカメラ１の撮影動作を図２及び図３に基づいて説明する。尚、図２はカメラの撮影動作手順を示すフローチャート、図３は補助光の発光時間に対する輝度レベルの変化を示す図である。
【００２７】
本実施の形態に係るカメラ１においては、眩しさ制御モードを設定することができ、撮影が開始されると（図２のステップＳ１）、先ず、眩しさ制御モードが設定されたか否かが判断される（ステップＳ２）。そして、眩しさ制御モードが設定されていない場合（ステップＳ２での判断結果がＮｏである場合）には、シャッタースイッチ６が押下され（ステップＳ３）、ストロボ発光が必要か否かが判断される（ステップＳ４）。
【００２８】
周囲が明るくストロボ発光が不要である場合（ステップＳ４での判断結果がＮｏである場合）には、そのまま撮影が実行され（ステップＳ５）、一連の撮影動作が終了する（ステップＳ６）。
【００２９】
他方、周囲が暗くて撮影に必要な光量が不足するためにストロボの発光が必要である場合（ステップＳ４での判断結果がＹｅｓである場合）には、発光準備がなされ（ステップＳ７）、その後、ストロボ装置５によってストロボ光が発光され（ステップＳ８）、その状態で撮影がなされて（ステップＳ９）、一連の撮影動作が終了する（ステップＳ６）。
【００３０】
又、眩しさ制御モードが設定されている場合（ステップＳ２での判断結果がＹｅｓである場合）には、シャッタースイッチ６が押下されると（ステップＳ１０）、補助光発光手段７の発光準備がなされる（ステップＳ１１）。
【００３１】
而して、補助光発光手段７は、前述のようにストロボ装置５のストロボ光よりも輝度が低く設定された補助光を被写体に向けて照射するが、この補助光発光手段７によって照射される補助光は、図３に示すように、その出力レベルが時間の経過と共に０．３秒の間に１０％、２０％、３０％（ストロボ光の最大輝度を１００％としたときの割合）と３段階に上げられ、各出力レベルは０．５秒間保持される。尚、補助光の出力レベルとその上昇段階数及び各出力レベルの保持時間は任意である。
【００３２】
従って、補助光発光手段７からは先ず出力レベル１０％の補助光が発光され（ステップＳ１２）、その出力レベルが０．５秒間保持された後、０．３秒の間に出力レベル２０％の補助光が発光され（ステップＳ１３）、その出力レベルが０．５秒間保持される。次に、０．３秒の間に出力レベル３０％の補助光が発光され（ステップＳ１４）、その出力レベルがその後のストロボ装置５によるストロボ光の発光が終わるまで保持される（ステップＳ１５，Ｓ１６及び図３参照）。つまり、本実施の形態では、ストロボ光が発光しているときにも出力レベル３０％の補助光が同時に発光するようにしている。
【００３３】
そして、上述のようにストロボ光と出力レベル３０％の補助光が同時に発光している状態で撮影がなされ（ステップＳ１７）、一連の撮影動作が終了する（ステップＳ６）。
【００３４】
以上のように、本実施の形態では、ストロボ装置５から輝度の高いストロボ光が発光する前に、ストロボ光よりも輝度が低く設定された補助光を被写体に向けて照射するようにしたため、背景輝度とのコントラスト差が小さく抑えられ、被写体である人が補助光による明るい環境に順応する。このため、その後に輝度の高いストロボ光が発光しても、人が感じる眩しさが低減される。又、ストロボ光が発光する前に補助光が発光することによって被写体である人はその補助光に視覚的な注意を向けるため、人は「写真を撮るよ！」というインタラクションと興味を持つことができる。
【００３５】
そして、本実施の形態では、補助光の出力レベルを時間の経過と共に１０％、２０％、３０％と段階的に上げるようにしたため、被写体である人に「写真を撮るよ！」というインタラクションを確実に与えることができる。又、補助光の各出力レベルを所定時間（本実施の形態では、０．５秒間）保持するようにしたため、被写体である人にシャッターが切られるタイミングを知らせることができる。因に、補助光の出力レベルが瞬時に変化したり、補助光が点滅するだけでは、被写体である人は何時シャッターが切られるのかを判断しづらく、又、「写真を撮るよ！」というインタラクションを得にくい。
【００３６】
更に、本実施の形態では、ストロボ光が発光しているときに補助光も同時に発光させるようにしたため、被写体である人の視線が補助光以外の場所、例えばストロボ光の方向へと移行することがなく、ストロボ光を眩しく感じる度合いが低く抑えられる。因に、ストロボ光が発光する前に補助光が消灯してしまうと、被写体である人の視線が補助光以外のストロボ光の方へと移行してしまい、ストロボ光を眩しいと感じてしまう。
【００３７】
ここで、図４に示す概念図によって視覚的注意について説明する。
【００３８】
目標刺激（ストロボ発光）に先行して目標刺激の提示位置を知らせるための先行手掛かり（補助光）が提示される場合、先行手掛かり（補助光）が目標位置を正確に示している場合（有効条件）には、先行手掛かりが提示されない場合（中立条件）や目標刺激が正確に示されていない場合（無効条件）よりも反応時間が短縮されてしまう。つまり、中立条件や無効条件よりも早く目線が向くことになってしまい、より眩しさを感じてしまう。
【００３９】
実際に図５（Ａ）〜（Ｄ）に示す形態について補助光の提示を行って眩しさの評価を実施した。
【００４０】
ここで、実験条件として、図５（Ａ）は補助光発光手段７がない場合、図５（Ｂ）はストロボ装置５が設けられた位置に補助光発光手段７を配置した場合、図５（Ｃ）は補助光発光手段７をストロボ装置５とは反対側の片側に配置した場合、図５（Ｄ）は図１に示すと同様にカギ括弧状の補助光発光手段７を撮影レンズ４の周囲に配置した場合をそれぞれ示す。
【００４１】
而して、補助光を図５（Ａ）〜（Ｄ）に示す４条件として提示し、各場合の眩しさの主観評価を行った。その結果を図６に示すが、図５（Ｃ），（Ｄ）に示すように補助光発光手段７をストロボ装置５が設置された箇所以外の場所に設けた場合（図４の無効条件に相当）には、図６にＣ，Ｄにて示すように眩しさの低下が見られた。
【００４２】
しかしながら、図５（Ａ）に示すように補助光発光手段７がない場合と図５（Ｂ）に示すようにストロボ装置５が設けられた位置に補助光発光手段７を配置した場合（図４の中立条件と有効条件に相当）には、図６にＡ，Ｂにて示すように眩しさの低下は見られなかった。特に、図５（Ｂ）に示す場合には、補助光発光手段７とストロボ装置５が同一位置に設置されているため、より一層注意が引かれてるために眩しさを感じ易い結果となった。
【００４３】
図５（Ｄ）に示すように補助光発光手段７を撮影レンズの周囲に配置した場合には、補助光によって主観的な輪郭が得られるため、被写体である人は補助光に注意がより一層引かれるためにストロボ光の眩しさが低下する。
【００４４】
而して、本実施の形態では、図１に示すように、カギ括弧状の補助光発光手段７をストロボ装置５の設置箇所以外の場所、具体的には筐体２の鏡胴３（撮影レンズ４）の周囲に配置したため、補助光を視認していた被写体である人の視線がストロボ光に向かうまでの時間（反応時間）が長くなり、その分だけストロボ光を直接視認する時間が短縮されるために眩しさを感じる度合いが低く抑えられる。
【００４５】
従って、補助光発光手段７はストロボ装置５の設置箇所以外の場所に設置されるべきであって、例えば図７に示すように筐体２の鏡胴３（撮影レンズ４）の周囲にリング状の補助光発光手段７を配置したり、図８に示すように、筐体２のストロボ装置５が設けられた側とは反対側の上部片側に補助光発光手段７を配置しても良い。
【００４６】
又、本実施の形態では、補助光を指向性を有さない拡散光としたため、この拡散光によってストロボ光発光前の背景輝度とのコントラスト差が一層効果的に小さく抑えられ、被写体である人が補助光による明るい環境に順応し、その後のストロボ光に対して感じる眩しさの度合いが低く抑えられる。
【００４７】
尚、以上は本発明をデジタルカメラに対して適用した形態について説明したが、本発明は、デジタルカメラ以外のフィルム式カメラやビデオカメラ等に対しても同様に適用可能であることは勿論である。
【符号の説明】
【００４８】
１    カメラ
２    カメラの筐体
３    鏡胴
４    撮影レンズ
５    ストロボ装置
６    シャッタースイッチ
７    補助光発光手段
【図１】
2010169846.tif 000003
【図２】
2010169846.tif 000004
【図３】
2010169846.tif 000005
【図４】
2010169846.tif 000006
【図５】
2010169846.tif 000007
【図６】
2010169846.tif 000008
【図７】
2010169846.tif 000009
【図８】
2010169846.tif 000010
【図９】
2010169846.tif 000011